(57)【特許請求の範囲】
【請求項１】
防音パネルを上下方向に沿って設置してある防音壁において、
前記防音パネルの最上部の更に上に配設し、
吸音材を内装した吸音空間を内部に形成すると共に、音源とその音源の周囲とを隔てる隔壁を形成自在な外枠体を設け、
前記吸音空間とその外方とにわたる音の出入りを可能にする音透過面を、前記外枠体の音源側表面部及び、背面部、並びに天井部に形成してある吸音パネルであって、
前記外枠体を構成するのに、
前記吸音材に対する音源側、背面側、天井側の音透過機能を阻害しない状態で、前記吸音材に対する底部、左右両側部、天井部、を取り囲む主枠体を設けると共に、
前記吸音材の音源側表面部、背面部、並びに天井部を外側から覆う多孔板状体を設け、
前記吸音材を前記主枠体で支持した状態で、
前記多孔板状体を前記主枠体に対して挟み込んで着脱自在に固定する挟み込み固定部材を設けてある吸音パネル。
【請求項２】
前記防音パネルの最上部の更に上に配設した時に、前記外枠体の下端縁と前記防音パネルの上端縁との間の隙間を閉塞可能な音漏れ防止部材を、前記外枠体の下端縁部に設けてある請求項１に記載の吸音パネル。
【請求項３】
前記多孔板状体を合成樹脂から成る可撓性の多孔質シートで形成してある請求項１または２に記載の吸音パネル。
【請求項４】
前記主枠体における左右両側枠部夫々に、パネル支持体に対する固定具の係止連結部を上下方向に沿って連続的に設け、
その係止連結部における固定具係止上限を、前記主枠体における天井枠部の上端縁よりも下位に設定してある請求項１〜３のいずれか１項に記載の吸音パネル。
【請求項５】
横方向に所定間隔置きに立設させる複数本の支柱と、前記複数本の支柱間に亘って連結する横桟とから成るパネル支持体を設け、
そのパネル支持体に防音パネルを取り付けてある防音壁において、
前記防音パネルの最上部よりも上方に突出した複数の前記支柱の延設部分どうしに亘って横桟を連結し、
前記横桟に固定する固定具を、請求項４に記載の吸音パネルの係止連結部に係止させて前記吸音パネルを取り付けてある防音対策設備。
【発明の詳細な説明】
【技術分野】
【０００１】
本発明は、防音パネルを上下方向に沿って設置してある防音壁において、前記防音パネルの最上部の更に上に配設し、吸音材を内装した吸音空間を内部に形成すると共に、音源とその音源の周囲とを隔てる隔壁を形成自在な外枠体を設け、前記吸音空間とその外方とにわたる音の出入りを可能にする音透過面を、前記外枠体の音源側表面部及び、背面部、並びに天井部に形成してある吸音パネル、及び、その吸音パネルを設置した防音対策設備に関する。
【背景技術】
【０００２】
従来、前記吸音パネルは、上下方向に並べた防音パネルの音源側とその背面側とでは音圧差が大きく、防音壁設備の上端縁近傍の領域に加速された音のエネルギーが回折現象を発生させて、防音壁設備の背面側の騒音を抑えるべき空間等に、回折した音が拡がるという問題を、上下方向に複数段に並べてある前記防音パネルの内の最上段の物の更に上に、前記吸音パネルを配設して、上下方向に複数段に並べてある前記防音パネルの内の最上段の物の上端縁近傍を回折しようとする回折音を、低減させることができる（エッジ効果抑制）もので、その吸音パネルにおいて、前記外枠体を構成するのに、前記吸音材の音源側表面部、背面部、並びに天井部を外側から覆うパンチングメタルを設け、そのパンチングメタルを主枠体の一部として、そのパンチングメタルに金属製の底板部材と左右側板部材とを、一体に組み付け連結して、前記吸音材を収容する箱型に形成してあるものがあった（例えば、特許文献１参照）。
【先行技術文献】
【特許文献】
【０００３】
【特許文献１】特開２０１４−１０１７４７号公報
【発明の概要】
【発明が解決しようとする課題】
【０００４】
上述した従来の吸音パネルは、例えば、工事現場などの仮設の防音壁に取り付けたりする場合に、異なる工事現場で繰り返し設置されるために、運搬時や設置時に他物との接触により傷むことがあり、吸音パネルの外観が低下することがあった。
【０００５】
従って、本発明の目的は、上記問題点を解消し、吸音パネルの外観が傷んでも簡単な補修により繰り返し使用しやすくできるようにするところにある。
【課題を解決するための手段】
【０００６】
本発明の第１の吸音パネルの特徴構成は、防音パネルを上下方向に沿って設置してある防音壁において、前記防音パネルの最上部の更に上に配設し、吸音材を内装した吸音空間を内部に形成すると共に、音源とその音源の周囲とを隔てる隔壁を形成自在な外枠体を設け、前記吸音空間とその外方とにわたる音の出入りを可能にする音透過面を、前記外枠体の音源側表面部及び、背面部、並びに天井部に形成してある吸音パネルであって、前記外枠体を構成するのに、前記吸音材に対する音源側、背面側、天井側の音透過機能を阻害しない状態で、前記吸音材に対する底部、左右両側部、天井部、を取り囲む主枠体を設けると共に、前記吸音材の音源側表面部、背面部、並びに天井部を外側から覆う多孔板状体を設け、前記吸音材を前記主枠体で支持した状態で、前記多孔板状体を前記主枠体に対して挟み込んで着脱自在に固定する挟み込み固定部材を設けたところにある。
【０００７】
本発明の第１の特徴構成によれば、主枠体に対する挟み込み固定部材により、着脱自在に多孔板状体を挟み込んで固定してあるために、吸音パネルの設置作業及び取り外し作業の繰り返しに伴って、他物との接触によってその表面が損傷したとしても、簡単に挟み込み固定部材から取り外して新たな多孔板状体に取り換えることができ、短時間で繰り返し使用できるようになった。
【０００８】
本発明の第２の特徴構成は、前記防音パネルの最上部の更に上に配設した時に、前記外枠体の下端縁と前記防音パネルの上端縁との間の隙間を閉塞可能な音漏れ防止部材を、前記外枠体の下端縁部に設けたところにある。
【０００９】
本発明の第２の特徴構成によれば、本発明の第１の特徴構成による上述の作用効果を叶えることができるのに加えて、吸音パネルを防音パネルの最上部の更に上に配設して取り付けるにあたって、外枠体の下端縁と前記防音パネルの上端縁との間の隙間を通り抜けて漏れる音が、音漏れ防止部材によって阻止できる。
【００１０】
本発明の第３の特徴構成は、前記多孔板状体を合成樹脂から成る可撓性の多孔質シートで形成したところにある。
【００１１】
本発明の第３の特徴構成によれば、防音壁への着脱が繰り返し行われる吸音パネルにおいては、運搬時や設置時に他物との接触によっても、多孔質シートで形成された多孔板状体の持つ可撓性及び弾性によって、外力を逃がして、金属板のように塑性変形して外嵌を低下させると言う問題を減少でき、その結果、繰り返し使いやすくなる。
【００１２】
本発明の第４の特徴構成は、前記主枠体における左右両側枠部夫々に、パネル支持体に対する固定具の係止連結部を上下方向に沿って連続的に設け、その係止連結部における固定具係止上限を、前記主枠体における天井枠部の上端縁よりも下位に設定したところにある。
【００１３】
本発明の第４の特徴構成によれば、例えば、工事現場などの仮設の防音壁に吸音パネルを取り付けるにあたっては、一般的に、防音パネルが、上下に沿って複数本設置される仮設用縦単管等の支柱と、複数の支柱どうしに亘って横方向に架設される横用単管からなる横桟との連結による組み合わせから成るパネル支持体に取り付けられるもので、そのパネル支持体に、固定具を介して吸音パネルを設置でき、しかも、吸音パネルの主枠体に設けた左右両側枠部夫々に設ける係止連結部に、固定具を係止するにあたって、その係止位置が、主枠体における天井枠部の上端縁よりも下位になるために、吸音パネルの上端縁部の音透過機能が阻止されず、そのために、前記防音パネルの内の最上段の物の上端縁近傍を回折しようとする回折音を低減させる吸音パネルの機能を、維持させることができる。
【００１４】
本発明の第５の防音対策設備の特徴構成は、横方向に所定間隔置きに立設させる複数本の支柱と、前記複数本の支柱間に亘って連結する横桟とから成るパネル支持体を設け、そのパネル支持体に防音パネルを取り付けてある防音壁において、前記防音パネルの最上部よりも上方に突出した複数の前記支柱の延設部分どうしに亘って横桟を連結し、前記横桟に固定する固定具を、請求項４に記載の吸音パネルの係止連結部に係止させて前記吸音パネルを取り付けたところにある。
【００１５】
本発明の第５の特徴構成によれば、前記支柱と横桟から成るパネル支持体に、固定具を介して吸音パネルが取り付けられる防音対策設備は、簡単に架設現場において、設置及び撤去ができやすくなる。
【図面の簡単な説明】
【００１６】
【図１】防音対策設備の取付施工状態の全体斜視図である。
【図２】防音対策設備の取付状態の側面図である。
【図３】吸音パネルの全体斜視図である。
【図４】吸音パネルの正面図である。
【図５】吸音パネルの背面図である。
【図６】吸音パネルの縦断側面図である。
【図７】吸音パネルの分解側面図である。
【図８】吸音パネルの取付状態を示す要部平面図である。
【図９】吸音パネルの分解斜視図である。
【発明を実施するための形態】
【００１７】
以下に本発明の実施の形態を図面に基づいて説明する。
図１、図２に示すように、工事現場などの仮設の防音壁は、一般的に、防音パネル１が、上下に沿って複数本設置される仮設用縦単管等の支柱２と、複数の支柱２どうしに亘って横方向に架設される横用単管からなる横桟３との連結による組み合わせから成るパネル支持体４に取付けられて防音対策設備を構成している。
前記防音壁を構成する複数の防音パネル１の最上部の更に上に、防音パネル１の上端縁近傍を回折しようとする回折音を低減させるための吸音パネル５を、取り付けてある。
【００１８】
図３〜図９に示すように、前記吸音パネル５は、吸音材６を内装した吸音空間８を内部に形成すると共に、音源とその音源の周囲とを隔てる隔壁を形成自在な外枠体７を設け、吸音空間８とその外方とにわたる音の出入りを可能にする音透過面９を、外枠体７の音源側表面部及び、背面部、並びに天井部に形成してある。
前記外枠体７を構成するのに、吸音材６に対する音源側、背面側、天井側の音透過機能を阻害しない状態で、吸音材６に対する底部、左右両側部、天井部、を取り囲む主枠体１０を設けると共に、吸音材６の音源側表面部、背面部、並びに天井部を外側から覆う多孔板状体１１を設け、吸音材６を主枠体１０で支持した状態で、多孔板状体１１を前記主枠体１０に対して挟み込んで着脱自在に固定する挟み込み固定部材１２を設けてある。
前記多孔板状体１１は、可撓性のある合成樹脂製の多孔質シートで形成され、その周部を、主枠体１０を構成する金属製の左右両側枠部１３、底枠部１４、パンチングメタルから成る天井枠部１５を、リベットやボルトナット等の連結部材で一体化して成形してあり、その主枠体１０に夫々形成する取付部に対して帯状の金属板から成る第１、第２、第３挟み込み固定部材１２Ａ，１２Ｂ，１２Ｃで挟み込んで、ボルトナットを介して着脱自在に固定している。
【００１９】
前記吸音材６は、上端側ほどその流れ抵抗値が小さくなるように、つまり、ポリエステル繊維で空気の流れ抵抗値を上下方向に夫々連続的に変化するように形成してあり、これによりエッジ効果の抑制効果が得られるようにしてある。
【００２０】
前記主枠体１０における左右両側枠部１３夫々には、図６、図７、図９に示すように、パネル支持体４に対する固定具１６の係止連結部１７を、上下方向に沿って連続的に設け、その係止連結部１７における固定具係止上限１７Ａを、外枠体７の上端縁よりも下位に設定してある。
【００２１】
前記吸音パネル５には、防音パネル１の最上部の更に上に配設した時に、外枠体７の下端縁と防音パネル１の上端縁との間の隙間を閉塞可能なＣＲゴム等のゴム製又は樹脂製の可撓性シートからなる音漏れ防止部材１８が、外枠体７の下端縁部に設けてある(図２、図６、図７)。
【００２２】
図１、図２、図８に示すように、吸音パネル５をパネル支持体４に取り付けて、防音対策設備を構成するにあたっては、防音パネル１の最上部よりも上方に突出した複数の支柱２の延設部分どうしに亘って横桟３を連結し、横桟３に固定する固定具１６を、吸音パネル５の係止連結部１７に係止させて取り付けてある。
【００２３】
〔別実施形態〕
以下に他の実施の形態を説明する。
【００２４】
〈１〉  前記吸音パネル５は、工事現場の仮設防音壁に取り付けるもの以外に、道路の側方において道路とその周辺とを隔てるように、道路に沿って一定間隔置きに立設させたパネル支持用Ｈ型鋼の縦溝内に、防音パネルを上下方向に複数段に積み上げた状態で、道路に沿って並べて設置する防音パネルの最上段の更に上に配設するものであってもよい。また、防音壁は、道路用以外に、鉄道用、一般の防音壁設備や、室内のパーティションに使用しても良い。
〈２〉  前記吸音材６は、ポリエステルウール以外に、グラスウールやロックウール等の無機繊維からなる多孔質体や、ステンレス繊維などの金属繊維からなる多孔質体の他に、アルミニウム焼結板から構成してあってもよい。
〈３〉  前記多孔板状体１１は、合成樹脂製以外に金属製の多孔薄板や、金属薄板と合成樹脂シートとの積層体から成るものでもよい。
〈４〉  音漏れ防止部材１８は、ゴムや樹脂の可撓性シート以外に、金属製の薄板、折板や、あるいは木材から成るものでもよい。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２６】
１      防音パネル
２      支柱
３      横桟
４      パネル支持体
５      吸音パネル
６      吸音材
７      外枠体
８      吸音空間
９      音透過面
１０    主枠体
１１    多孔板状体
１２    挟み込み固定部材
１３    側枠部
１４    底枠部
１５    天井枠部
１６    固定具
１７    係止連結部
１８    音漏れ防止部材
【図１】
0006375339.tif 000002
【図２】
0006375339.tif 000003
【図３】
0006375339.tif 000004
【図４】
0006375339.tif 000005
【図５】
0006375339.tif 000006
【図６】
0006375339.tif 000007
【図７】
0006375339.tif 000008
【図８】
0006375339.tif 000009
【図９】
0006375339.tif 000010